(57)【要約】【課題】  映像記録装置のタイトル入力等の簡易編集を携帯電話や携帯端末によっておこなえるようにする。【解決手段】  本発明の映像記録装置は、携帯端末の操作情報と携帯端末操作により入力された文字情報と絵情報が入力される受信手段と、前記受信手段から入力された携帯端末の操作情報に基づいて前記文字情報と絵情報を映像情報に追加する編集内容をきめる編集手段と、前記編集内容に基づいて映像情報に前記文字情報と絵情報を合成する前記映像合成手段と、を備えるようにした。【選択図】図１
2009081592.tif 000002
【特許請求の範囲】
【請求項１】
携帯端末の操作情報と携帯端末操作により入力された文字情報と絵情報が入力される受信手段と、
前記受信手段から入力された携帯端末の操作情報に基づいて前記文字情報と絵情報を映像情報に追加する編集内容をきめる編集手段と、
前記編集内容に基づいて映像情報に前記文字情報と絵情報を合成する前記映像合成手段と、を備えたことを特徴とする映像記録装置。
【発明の詳細な説明】
【技術分野】
【０００１】
本発明は、映像データを記録する映像記録装置に関し、携帯電話・携帯端末を利用した映像データ編集方法に関するものである。
【背景技術】
【０００２】
近年、ＤＶＤレコーダおよびハードディスクレコーダによる録画データのデジタル化が普及している。これら録画装置は機器に付属する専用リモートコントローラによって制御され、記録された画像データのタイトル名を変更する場合には、専用リモートコントローラを用いるのが一般である。
【０００３】
一方で、携帯電話は小型化だけではなく、メール機能およびインターネット機能およびカメラ機能および音楽再生機能など、通話目的を超えたさまざまな機器の機能を取り入れ、カラオケの曲選択を制御するリモートコントローラとしての役割を持つ携帯電話も存在する。
【０００４】
画像編集に携帯電話を利用した先行技術としては、画像記憶装置に保存されている動画像データおよび拡張情報を外部の端末装置で編集し、その編集結果を反映できる画像記憶再生装置およびその再生方法の技術が開示されている（例えば、特許文献１）。
【０００５】
【特許文献１】特開２００６−０１９９９６号公報
【発明の開示】
【発明が解決しようとする課題】
【０００６】
録画装置内部に記録された画像に対して、リモートコントローラによるタイトル付けおよびタイトル名の変更を行なう場合、録画装置と接続された表示装置による表示画面から文字を一つ一つ見つけ出した後、次に文字を選択、次に漢字変換、次に文字決定という操作に段階を伴い、さらにこの操作を繰り返すことを要する。
【０００７】
編集回数の頻度として少ない人においては操作方法を思い出すことが出来ず、押下すべきリモートコントローラのボタンさえ分からなくなる場合もある。録画装置は家庭内で共有されることも多く、編集操作においては家庭内の特定の人物のみに頼る場合も多い。つまりリモートコントローラによる画像編集は、誰でも簡単な操作が出来るわけではなく、かつスムーズな操作が難しいという欠点を持つ。なおかつ、録画データを編集・加工する場合には記録データを記録媒体へコピーしたのち別の機器へ移動するか、もしくは通信手段により記録データを編集用機器へ移動する操作を要する機器が一般的である。
【０００８】
本発明はこのような課題を解決するためになされたもので、普段個人利用として使い慣れた端末による操作によって、スムーズな文字・絵入力、および記録データの編集という中で、タイトル入力等の簡易編集のみが実使用上の大半であることに着目し、この簡易編集操作を携帯電話・携帯端末によって実現することで改善することを目的としている。
【課題を解決するための手段】
【０００９】
本発明の映像記録装置は、携帯端末の操作情報と携帯端末操作により入力された文字情報と絵情報が入力される受信手段と、前記受信手段から入力された携帯端末の操作情報に基づいて前記文字情報と絵情報を映像情報に追加する編集内容をきめる編集手段と、前記編集内容に基づいて映像情報に前記文字情報と絵情報を合成する前記映像合成手段と、を備えるようにした。
【発明の効果】
【００１０】
個人使用として使い慣れた携帯電話による操作によって、録画装置の録画データの簡易編集を可能となるので、録画装置の使い勝手が向上する。
【００１１】
また、携帯電話の持つ文字情報と絵文字情報と辞書機能、およびインターネットを可能とした携帯装置の場合、インターネット通信によって得た映像情報を活用し、録画装置のリモートコントローラを高機能携帯電話、もしくは高機能携帯端末へ代えることによって録画装置との機能分担をおこない、録画装置のハードウェアおよびソフトウェアの増大を抑えて編集できる利点がある。
【発明を実施するための最良の形態】
【００１２】
以下に、本発明の実施の形態を説明する。
【実施例１】
【００１３】
図１は、携帯電話・携帯端末と録画装置のデータ連携の概要を図示したものである。
携帯電話および携帯端末は文字入力機能１０１と、音声入出力機能１０２と、データ記憶部１０３との通話およびメール送受信機能およびそれら機能から得たデータをもとに送信データを作成する送信データ作成部１０４と、送信データ作成部１０４で作成したデータを転送用データへ変換する送信データ変換部１０５と、録画装置を操作する録画装置ダイレクト操作部１０７と、送信データ変換部１０５および録画装置ダイレクト操作部１０７から得たデータを送信するコマンド送信部１０６を有する。
【００１４】
データ送信部１０６が送信するデータは録画装置内部の記録データに追加する絵文字データ情報のほか、そのデータの種類をあらわす類別コマンドも同時に送信する。この類別コマンドにより、データ受信する記録装置は受信データがビットマップ情報であるか、もしくはテキスト情報であるか、もしくは図形情報であるか、もしくは録画装置を直接操作するための情報であるかを区分できる。
【００１５】
図２は携帯電話・携帯端末によって録画装置の操作メニューへ移行し、文字・絵入力をする場合の操作フローチャートであり、図３、図４、図５はフローチャートに示した入力に適用する携帯電話とその画面を外観例示したものである。図３は文字入力を行なう場合の携帯電話とその画面を外観例示したものであり、文字入力を行なう場合、普段携帯電話によるメール作成操作と同様操作を行なう。文字入力が完了後、次メニュー２０１の選択もしくはボタンによって次メニューへ移行する。もしくは絵入力メニュー２０２選択により絵入力画面へ移行する。
【００１６】
絵入力は携帯電話に記録されたデータを表示し、画面を映しながら一部を抽出する方法と、携帯電話および携帯端末が持つ手書き入力機能による手段を持つ。図４は携帯電話へ記録されたデータを表示し、携帯電話・携帯端末の十字キーを使用し、部分的に抽出する場合の絵入力メニュー外観例示であり、始点２０４を決定したのち終点２０５を決定し、四角形の抽出エリア２０３を決定する。この場合、サブメニュー２０６によって操作案内を表示する。
【００１７】
図５は最終的に録画装置へ転送する図２の操作手順および図３と図４との操作によって作られたデータを確認する画面例示である。転送画面を確認し、転送決定メニュー２０７選択後、送信データ変換部１０５によって転送画面内のデータは類別コマンドを付加した転送データへ変換する。変換後コマンド送信部１０６を通じ、録画装置へデータ転送する。
【００１８】
録画装置はコマンド送信部１０６からのデータをコマンド受信部１０８で受信し、データ処理部１１０によって類別コマンドからデータ分別を行なう。類別コマンドが録画装置を直接操作するためのキー操作情報コマンドである場合、その指定キー操作を実行する。類別コマンドがテキスト情報、図形情報、およびビットマップ情報等記録データに対する追加を要するコマンドの場合、記録された録画データを録画データ記憶部１１１からデータ合成部１０９へコピーする。
【００１９】
また、録画装置は編集メニューに従い絵文字データを追加後、編集データは合成データ記憶部１１２へ保存する。
【００２０】
さらに、録画装置は受信した絵文字データの追加位置と、表示時間と、絵文字データ表示サイズとを決定するための操作画面を録画装置に接続される映像表示装置を通じて表示する。記録データを再生選択する場合のメニューに絵文字編集メニューの項目を追加し、絵文字編集画面メニューを選択することで絵文字編集メニューへ移行する。  絵文字編集メニューは携帯電話の十字キーと、決定キーのみの操作が可能であり、編集メニュー内部の各選択項目は十字キーの上下左右の押下で移動可能な配置とする。これにより、編集メニュー、およびメニュー内の各項目を水平・垂直方向に配置することで簡易操作による編集が可能である。また、携帯電話・携帯端末がより高機能であり、加速度センサを内蔵し、かつ録画装置にポインタ機能を有した場合、携帯電話の十字キー操作を熟知していない人に対し、より操作性を向上した編集操作も可能である。
【実施例２】
【００２１】
図６は携帯電話が送信した絵文字データを録画装置が受信し、録画装置に記録された運動会の動画データに対して受信した絵文字データをテロップ、およびコメントとして付加する絵文字編集画面を示したものである。本発明の主体は携帯電話を使って簡易操作による録画データの編集方法にあるので、データ転送および録画装置内でのデータ合成方法の説明は省略する。
【００２２】
絵文字編集メニューは、録画データをサムネイル表示した図７シーン分割表示部３０１とそのシーンとシーンの間および全録画時間を示す図８タイムテーブルメニュー部３０２と、携帯電話から送られたピクセルデータを簡単追加指示するための図１１絵文字指示部３０３との表示エリアで構成される。絵文字指示は絵文字Ａ、Ｂ、Ｃ．．．と数箇所に指示が可能であり、本実施例はサムネイル表示３０１したシーン５に絵文字Ｂとして「ガンバレ」の絵文字を指示した例である。
【００２３】
録画装置の記録データに対し、受信した絵文字データを追加するシーンを選択することから編集を開始し、追加位置の指定は図７シーン分割表示部３０１で行なう。シーン選択すると図８タイムテーブルメニュー３０２に貼り付け位置がカーソル表示され、貼り付け位置をより細かに指定する場合においてはタイムテーブルを拡大・縮小することで指定可能である。
【００２４】
また、各シーンの削除およびコピーを行なう場合は、図８タイムテーブルメニュー内のシーン削除・追加ボタン３０５を選択することで移行し、開始する。図９はシーン削除・追加ボタンを選択した場合へ移行するメニューの例示であり、さらに本メニュー内のコピーボタン３０６を選択した場合に、図１０シーン貼り付けメニューへ移行する。
【００２５】
図１１の絵文字指示部３０３では、シーン静止画像を表示する絵文字表示位置選択部３０４をもとに受信した絵文字データを追加する指示を行なう。絵文字表示位置選択部３０４は画面分割されており、絵文字の追加位置を指定できる。最後に絵文字追加位置の他拡大率と表示時間を指定して編集完了であるが、絵文字拡大率数値指定操作、もしくは絵文字表示時間個別指定とタイムテーブル拡大縮小操作との補助操作方法および入力メニュー画面を用いることで編集時の微調整が可能である。
【００２６】
図１２は絵文字拡大率数値指定メニューを例示したものであり、図１３は絵文字表示時間個別指定メニューを例示したものである。図１２、図１３は絵文字指示部３０３で倍率指定ボタンもしくは区間指定ボタンを押下された場合に絵文字指示部３０３内のサブメニュー表示エリアに表示される。
【００２７】
尚、絵文字表示位置選択部３０４へのカーソル移行は図１１絵文字指示部３０３で表示位置選択ボタンを押下することで行ない、拡大率は携帯電話を通じて入力したデータと録画映像の画素数の違いを緩和することが最大目的である。また、図１１絵文字指示部３０３で選択した情報が図８タイムテーブルメニューに反映されることにより、全体の録画映像に対する絵文字の表示時間の割合が確認できる。
【００２８】
図１４は、録画装置がデータ受信したのち、絵文字編集画面によってテロップ・コメントを追加する場合の携帯電話・携帯端末による操作手順、および録画装置の処理手順、かつ携帯電話・携帯端末側の操作と録画装置側の処理の連携を示したフローチャートである。
【００２９】
録画装置処理３は、記録データからダイジェスト検出の機能と、検出したデータをサムネイル表示する機能を有することにより、単純に記録データの時間を等分割、もしくは分割されたチャプターをシーン分割して表示を行なうのに比べて、ユーザーが追加しようと考えるシーンを的確に抽出し、編集をより簡易に行なうことが出来る。
【００３０】
ユーザーの主操作においては携帯電話・携帯端末によるユーザ操作３０８の手順となり、追加シーンの決定、絵文字拡大倍率選択、絵文字表示時間の選択を行うのみであり、絵文字編集メニューは携帯電話の十字キーと、決定キーのみの操作であり、なおかつ、絵文字編集メニュー画面を上から下方向へ順じて選択していくメニュー選択レイアウトとすることにより、リモートコントローラを使うことなく簡易編集が可能である。
【実施例３】
【００３１】
実施例２の編集時に加えたコメントや絵文字に対し、さらにコメント追従メニューを追加する。図１５はコメントを「たけし」と入力した後、コメント追従メニュー画面を表示した場合の例示である。コメント追従メニューを選択した時点で録画装置は追従映像指定枠４０１を画面に表示する。コメント追従メニュー画面では追従映像指定枠の高さ、幅、位置指定を可能とし、コメント追従したい映像に追従映像指定枠をあわせる指定方法とする。これにより、ＭＰＥＧの動きベクトルを利用することで動画に追従できる。
【実施例４】
【００３２】
録画装置によって録画されたいくつもの記録データは撮影時の日付情報等を録画装置によって自動的にタイトル付けされ、自動付加されたタイトルを専用リモコンと画面に表示した文字表によりタイトル変更することができるが、実施例２の技術を使うことで、専用リモコンでなく携帯電話から受けたデータをタイトルとして表示することが可能である。
【００３３】
この使い慣れた携帯電話によるテキスト入力や辞書機能と、タイトル変更する場合の編集メニューを実施例２同様に携帯電話の十字キーと、決定キーのみの操作によって可能となるよう各選択項目を水平・垂直のレイアウトとすることにより、簡易操作となる。
【００３４】
また携帯電話の持つ機種固有のユニークなマークが指定でき、これにより同様の記録データが多数あった場合、かつそれらを目視検索する場合には目的のデータを容易に見つけることが出来る。図１６は日付として２００７年１０月１０日が示された記録データのタイトルに対し、携帯電話が送信した図５のデータへ変更した場合の例示である。
【実施例５】
【００３５】
携帯電話が送信するデータは、編集者自身がデータを作成、および映像を切り取るだけでなく、携帯電話・携帯端末毎の持つユニークな絵文字や写真用飾り枠を使用出来る。また、インターネット機能を持つ携帯電話であれば絵文字を含む装飾データをダウンロードすることが可能である。このため、録画装置自体には編集用の複雑な映像を準備する必要がなく携帯電話に内蔵される装飾データを活用できる利点を持つ。
【００３６】
また携帯電話は個人使用で使われることがほとんどであることから家庭内で複数の人が一台の録画装置を使用していた場合、タイトル編集されたデータについては誰が録画、編集したものかを認識できることにより、データ共有する上での管理が容易となる利点を持つ。
【実施例６】
【００３７】
携帯電話の録音機能を利用し音声データをＷＡＶ形式等でファイル送信する。次に録画装置で音声データを受信し、実施例１の方式により録画データへ追加する。これによりテレビ放送の実況中継風データを作ることが出来る。実施例２の図６絵文字編集画面内の絵文字指示部３０３を図１７音声指示部５０１へ変更することで、絵文字と同一操作によって編集が可能である。音声指示部５０１ではシーン分割表示部３０１とタイムテーブル３０２により、音声再生の開始シーンを選択の後、再生音量を選択する。
【図面の簡単な説明】
【００３８】
【図１】携帯電話・携帯端末操作と録画装置のデータ連携の概要図である。
【図２】携帯電話・携帯端末操作の流れを説明したフローチャートである。
【図３】携帯電話を使った文字入力画面の説明図である。
【図４】携帯電話を使った絵入力エリアの指定画面についての説明図である。
【図５】携帯電話から送信される最終データ転送画面の例示である。
【図６】録画装置を通じて表示される編集画面の例示である（実施例２）。
【図７】シーン分割表示部の例示である（実施例２）。
【図８】タイムテーブルの例示である（実施例２）。
【図９】シーン追加・削除メニューの例示である（実施例２）。
【図１０】シーン貼り付けメニューの例示である（実施例２）。
【図１１】動画データへ絵文字指示部の例示とその説明図である（実施例２）。
【図１２】倍率指定メニューの例示である（実施例２）。
【図１３】表示時間指定メニューの例示である（実施例２）。
【図１４】動画データへのコメント・テロップ入力フローチャートである（実施例２）。
【図１５】コメント追従メニュー画面の説明図である（実施例３）。
【図１６】録画データのタイトル変更画面の説明図である（実施例４）。
【図１７】音声データ入力画面画面の説明図である（実施例６）。
【符号の説明】
【００３９】
１０１…文字入力機能、１０２…音声入出力機能、１０３…データ記憶部、１０４…送信データ作成部、１０５…送信データ変換部、１０６…コマンド送信部、１０７…録画装置ダイレクト操作部、１０８…コマンド受信部、１０９…データ合成部、１１０…データ処理部、１１１…録画データ記憶部、１１２…合成データ記憶部、２０１…次画面移行メニュー、２０２…絵入力画面移行メニュー、２０３…抽出エリア、２０４…始点、２０５…終点、２０６…サブメニュー、２０７…転送決定メニュー、３０１…シーン分割表示部、３０２…タイムテーブル、３０３…絵文字指示部、３０４…絵文字表示位置選択部、３０５…シーン削除・追加ボタン、３０６…コピーボタン、３０７…表示位置選択ボタン、３０８…携帯電話・携帯端末によるユーザーの主操作の操作手順、４０１…追従映像指定枠、５０１…音声指示部
【図１】
2009081592.tif 000003
【図２】
2009081592.tif 000004
【図３】
2009081592.tif 000005
【図４】
2009081592.tif 000006
【図５】
2009081592.tif 000007
【図６】
2009081592.tif 000008
【図７】
2009081592.tif 000009
【図８】
2009081592.tif 000010
【図９】
2009081592.tif 000011
【図１０】
2009081592.tif 000012
【図１１】
2009081592.tif 000013
【図１２】
2009081592.tif 000014
【図１３】
2009081592.tif 000015
【図１４】
2009081592.tif 000016
【図１５】
2009081592.tif 000017
【図１６】
2009081592.tif 000018
【図１７】
2009081592.tif 000019